(57)【要約】【課題】翌日に正しい売上金を集計して、集計処理の滞りを解消する。【解決手段】本発明の現金処理装置は、少なくともレジスタへの出金又はレジスタからの入金に用いられる媒体の媒体識別情報に、出金処理及び入金処理の情報を対応付けて記憶する入出金情報記憶手段と、上記出金処理の情報を上記媒体識別情報に対応付けて上記入出金情報記憶手段に記憶させる出金処理手段と、上記入金処理の情報を上記媒体識別情報に対応付けて上記入出金情報記憶手段に記憶させる入金処理手段と、営業日毎に行う全レジスタの精算集計処理時に、上記入出金情報記憶手段を参照して、出金処理後に入金処理がなされていないレジスタ番号がある場合に、清算出金処理を繰り越す繰越処理手段とを備えた。【選択図】      図１５
2014164621.tif 000002
【特許請求の範囲】
【請求項１】
少なくともレジスタへの出金又はレジスタからの入金に用いられる媒体の媒体識別情報に、出金処理及び入金処理の情報を対応付けて記憶する入出金情報記憶手段と、
上記出金処理の情報を上記媒体識別情報に対応付けて上記入出金情報記憶手段に記憶させる出金処理手段と、
上記入金処理の情報を上記媒体識別情報に対応付けて上記入出金情報記憶手段に記憶させる入金処理手段と、
営業日毎に行う全レジスタの精算集計処理時に、上記入出金情報記憶手段を参照して、出金処理後に入金処理がなされていないレジスタ番号がある場合に、清算出金処理を繰り越す繰越処理手段とを備えて構成されたことを特徴とする現金処理装置。
【請求項２】
上記繰越処理手段は、上記精算集計処理が、上記出金処理手段での出金処理から１回目のとき上記清算出金処理を繰り越し、２回目以降のとき上記清算出金処理を行うことを特徴とする請求項１に記載の現金処理装置。
【請求項３】
上記繰越処理手段は、上記精算集計処理時に、上記出金処理後に上記入金処理がなされていない上記レジスタ番号があるとき、翌営業日分として使い回すか、清算するかを選択させる選択要求を行うことを特徴とする請求項１又は２に記載の現金処理装置。
【請求項４】
上記繰越処理手段は、上記精算集計処理時に、上記出金処理後に上記入金処理がなされていない上記レジスタ番号があるとき、アラーム通知を行うことを特徴とする請求項３に記載の現金処理装置。
【請求項５】
上記繰越処理手段は、上記翌営業日分として使い回す選択要求が設定回数を超えたとき、警告を発することを特徴とする請求項３又は４に記載の現金処理装置。
【請求項６】
少なくともレジスタへの出金又はレジスタからの入金に用いられる媒体の媒体識別情報に、出金処理及び入金処理の情報を対応付けて記憶する入出金情報記憶手段と、
上記出金処理の情報を上記媒体識別情報に対応付けて上記入出金情報記憶手段に記憶させる出金処理手段と、
上記入金処理の情報を上記媒体識別情報に対応付けて上記入出金情報記憶手段に記憶させる入金処理手段と、
を備えるコンピュータを、
営業日毎に行う全レジスタの精算集計処理時に、上記入出金情報記憶手段を参照して、出金処理後に入金処理がなされていないレジスタ番号がある場合に、清算出金処理を繰り越す繰越処理手段として機能させることを特徴とする現金処理プログラム。
【請求項７】
上記繰越処理手段は、上記精算集計処理が、上記出金処理手段での出金処理から１回目のとき上記清算出金処理を繰り越し、２回目以降のとき上記清算出金処理を行うことを特徴とする請求項６に記載の現金処理プログラム。
【請求項８】
上記繰越処理手段は、上記精算集計処理時に、上記出金処理後に上記入金処理がなされていない上記レジスタ番号があるとき、翌営業日分として使い回すか、清算するかを選択させる選択要求を行うことを特徴とする請求項６又は７に記載の現金処理プログラム。
【請求項９】
上記繰越処理手段は、上記精算集計処理時に、上記出金処理後に上記入金処理がなされていない上記レジスタ番号があるとき、アラーム通知を行うことを特徴とする請求項８に記載の現金処理プログラム。
【請求項１０】
上記繰越処理手段は、上記翌営業日分として使い回す選択要求が設定回数を超えたとき、警告を発することを特徴とする請求項８又は９に記載の現金処理プログラム。
【発明の詳細な説明】
【技術分野】
【０００１】
この発明は、商業店舗にて行うレジ釣銭準備およびレジ精算業務等に用いられる現金処理装置及び現金処理プログラム関するものである。
【背景技術】
【０００２】
従来の現金処理装置では、現金処理装置からレジの釣銭準備金を出金したら、本装置に入金されるまで、無期限で出金実績データを保持していた。つまり、現金処理装置から出金した釣銭準備金（現金）は、店舗内に“絶対にあるはず”または“いつか入金されるはず”という前提のもと、出金実績データを保持していた。
【０００３】
また、“大口合わせ”または“金庫チェック”と言われる店舗内の現金在高（釣銭準備金の定額確認）チェック時にも、前記現金処理装置の出金実績データを用いて算出している。
【０００４】
このような現金処理装置の例としては、特許文献１に記載のものがある。
【先行技術文献】
【特許文献】
【０００５】
【特許文献１】特開２００８−１１２２７５
【発明の概要】
【発明が解決しようとする課題】
【０００６】
しかしながら、現金処理装置からレジの釣銭準備金を出金したら、入金されるまで無期限で出金実績データを保持すると、出金した現金を不正使用される可能性がある。例えば、店員等が、「後で返却すれば発覚しないだろう！」という考えのもと、出金した現金をギャンブルの元手などに不正使用される可能性がある。このような場合、不正使用の発覚が遅れるという問題点があった。
【課題を解決するための手段】
【０００７】
かかる課題を解決するために、第１の本発明係る現金処理装置は、少なくともレジスタへの出金又はレジスタからの入金に用いられる媒体の媒体識別情報に、出金処理及び入金処理の情報を対応付けて記憶する入出金情報記憶手段と、上記出金処理の情報を上記媒体識別情報に対応付けて上記入出金情報記憶手段に記憶させる出金処理手段と、上記入金処理の情報を上記媒体識別情報に対応付けて上記入出金情報記憶手段に記憶させる入金処理手段と、営業日毎に行う全レジスタの精算集計処理時に、上記入出金情報記憶手段を参照して、出金処理後に入金処理がなされていないレジスタ番号がある場合に、清算出金処理を繰り越す繰越処理手段とを備えて構成されたことを特徴とする。
【０００８】
第２の本発明に係る現金処理プログラムは、少なくともレジスタへの出金又はレジスタからの入金に用いられる媒体の媒体識別情報に、出金処理及び入金処理の情報を対応付けて記憶する入出金情報記憶手段と、上記出金処理の情報を上記媒体識別情報に対応付けて上記入出金情報記憶手段に記憶させる出金処理手段と、上記入金処理の情報を上記媒体識別情報に対応付けて上記入出金情報記憶手段に記憶させる入金処理手段と、を備えるコンピュータを、営業日毎に行う全レジスタの精算集計処理時に、上記入出金情報記憶手段を参照して、出金処理後に入金処理がなされていないレジスタ番号がある場合に、清算出金処理を繰り越す繰越処理手段として機能させることを特徴とする。
【発明の効果】
【０００９】
本発明によれば、翌日に正しい売上金を集計して、集計処理の滞りを解消する。
【図面の簡単な説明】
【００１０】
【図１】第１の実施形態に係る現金処理装置の内部構成を示す内部構成図である。
【図２】第１の実施形態に係る現金処理装置の外観斜視図である。
【図３】第１の実施形態の主制御部の入出金処理機能を説明する機能ブロック図である。
【図４】第１の実施形態のパターン出金記憶部の構成を示す構成図である。
【図５】第１の実施形態に係るレジスタ識別情報「１」のレジスタのシフトを示す図である。
【図６】第１の実施形態に係るシフト記憶部に記憶されるシフト設定情報の構成を例示する構成図である。
【図７】第１の実施形態に係る現金処理装置における出金処理の動作を示すフローチャートである。
【図８】第１の実施形態に係る釣銭出金に係る表示画面例を示す画面図である。
【図９】第１の実施形態に係る釣銭出金に係る表示画面例を示す画面図である。
【図１０】第１の実施形態に係る入出金履歴記憶部における入出金履歴を説明する説明図である。
【図１１】第１の実施形態に係る現金処理装置における最終入金処理の動作を示すフローチャートである。
【図１２】第１の実施形態に係る集計処理部による集計単位を説明する説明図である。
【図１３】第１の実施形態に係るレジスタ識別情報「１」のシフト及び集計を説明する説明図である。
【図１４】変形実施形態の主制御部の入出金処理機能を説明する機能ブロック図である。
【図１５】繰越処理機能を示すフローチャートである。
【図１６】第２の実施形態の主制御部の入出金処理機能を説明する機能ブロック図である。
【図１７】第２の実施形態に係る選択要求処理に係る表示画面例を示す画面図である。
【図１８】従来の精算集計処理時における未精算レジチェック機能を示す模式図である。
【図１９】第２の実施形態の精算集計処理時における未精算レジチェック機能を示す模式図である。
【発明を実施するための形態】
【００１１】
（Ａ）第１の実施形態
以下では、本発明の現金処理装置の第１の実施形態を、図面を参照しながら詳細に説明する。
【００１２】
この実施形態は、店舗のレジスタに対して釣銭出金及び売上入金を管理する現金処理装置に本発明を適用する場合を例示する。
【００１３】
（Ａ−１）実施形態の構成
（Ａ−１−１）現金処理装置１０の全体構成
図２は、実施形態に係る現金処理装置１０の外観斜視図である。また、図１は、本実施形態に係る現金処理装置１０の内部構成を示す内部構成図である。
【００１４】
現金処理装置１０は、例えば、ある店舗に設けられたレジスタが取り扱う現金を管理したり、ショッピングセンタ等のように複数のショップからなる大規模な店舗において、各ショップのレジスタが取り扱う現金だけでなく、ショップ毎の現金を管理したりするものである。
【００１５】
図１において、現金処理装置１０は、大別して、硬貨処理機１、紙幣処理機２、表示部３、操作部４、カードリーダ５、伝票記録部６、記録部７、主制御部８を少なくとも有して構成される。
【００１６】
表示部３は、例えばＬＣＤ等により、現金処理装置１０の各種の処理操作の案内、入力画面、入力情報、金種別の入金金額又は出金金額等を表示する表示手段である。
【００１７】
操作部４は、レジスタの現金を入出金するレジスタ担当者や売上の締めを行なう店長等の管理者が操作するものである。また、操作部４は、後述する入出金処理を行なうために、パターン出金の入力、シフト設定の入力、訂正処理の入力等を行なう際に、レジスタ担当者や管理者等が操作するものである。操作部４は、例えば、キーボードやテンキーなどの物理的な入力手段や、表示部３上に配置されたタッチパネル等の入力手段を適用することができる。
【００１８】
カードリーダ５は、現金処理装置１０の利用者であるレジスタ担当者や管理者等が使用するＩＤカードの情報を読み取るものである。ここで、ＩＤカードとしては、管理者が用いる管理カード、レジスタの担当者が用いるレジスタカード、店舗毎に発行された店舗カード等がある。
【００１９】
伝票記録部６は、硬貨処理機１や紙幣処理機２で行われた入金処理又は出金処理の金額、金種別枚数等を伝票に記録して出力するものである。伝票記録部６は、例えば、プリンタ等を適用することができる。
【００２０】
記録部７は、入金・出金処理履歴、回収庫交換履歴、釣銭収納庫入出金履歴、回収庫入金履歴等を格納するカウンタテーブルを有したり、また後述する主制御部８が実行する制御プログラムを格納したり、更に主制御部８による処理結果も記憶するものである。
【００２１】
主制御部８は、記録部７に格納された制御プログラムに基づいて、現金処理装置１０全体の処理を制御するものである。主制御部８は、それぞれのレジスタに対して割り当てられているシフトを１つの集計単位として入出金処理を行なう入出金処理機能を有する。
【００２２】
さらに、主制御部８には、繰越処理手段としての機能が格納されている。この繰越処理手段は、営業日毎に行う全レジスタの後述する精算集計処理時に、後述する入出金情報記憶手段としての入出金履歴記憶部１０９を参照して、出金処理後に入金処理がなされていないレジスタ番号がある場合に、後述する清算出金処理を繰り越す処理手段である。この繰越処理手段としての機能は、精算集計処理が、後述する出金処理部１０３での出金処理から１回目のとき繰り越し、２回目以降のとき清算出金処理を行う。
【００２３】
なお、精算集計処理とは、「締上げ」と呼ばれる処理で、全レジスタの売上高集計や違算金額などの確認を、営業日毎に行う精算集計業務をいう。清算出金処理とは、“清算出金”欄を追記して、清算出金データを記録すると共に、レシートに清算出金データを印字する処理である。
【００２４】
硬貨処理機１は、レジスタから回収した硬貨を一括して受け入れる硬貨入金口１１と、この硬貨入金口１１に受け入れた硬貨を１枚ずつ分離して、硬貨の金種等を鑑別すると共に鑑別した硬貨を金種毎に計数する硬貨鑑別部１２と、この硬貨鑑別部１２で鑑別計数された硬貨を一時保留する一時保留部１３と、レジスタ用の釣銭準備金として使用する硬貨を金種別に収納する複数の釣銭用硬貨収納庫（釣銭用現金収納庫）１４と、入金硬貨を金種別に収納する硬貨回収庫１５と、釣銭用の硬貨を出金するための硬貨出金庫１６と、硬貨リジェクト口１７と、制御プログラムに基づいて効果処理機１全体の動作制御を行う制御部１８とを少なくとも有して構成される。
【００２５】
ここで、一時保留部１３、釣銭用硬貨収納庫１４、硬貨回収庫１５、及び硬貨出金庫１６は金種毎に分けて硬貨を集積、収納できるように内部が区切られている。
【００２６】
また、硬貨入金口１１と硬貨鑑別部１２との間には、分離部により分離された硬貨を搬送する搬送ベルト等による搬送路が設けられている。また、釣銭用硬貨収納庫１４と硬貨回収庫１５及び硬貨出金庫１６との間には、釣銭用硬貨収納庫１４から排出される硬貨を硬貨回収庫１５と硬貨出金庫１６のいずれかに導く振分け手段と、通過する硬貨を金種毎に計数する計数手段とが設けられている。
【００２７】
また、釣銭用硬貨収納庫１４に対しては、収納する硬貨の金種毎に保管基準額が設定されており、その保管基準額を保つために入金処理された硬貨を収納するようになっている。また、釣銭用硬貨収納庫１４にも硬貨を搬送路に繰り出す繰出し手段が設けられている。
【００２８】
硬貨回収庫１５は複数用意され、必要に応じて交換されるものであるが、この実施形態では、硬貨回収庫１５には記憶部（識別情報保有部）１５ａが設けられている。この記憶部１５ａには硬貨回収庫１５を識別するためのＩＤ番号等の固有の識別情報が記憶され、制御部１８または後述する主制御部がこの識別情報を認識して硬貨回収庫１５を特定するものとなっている。
【００２９】
紙幣処理機２は、入金処理時にレジスタから回収した紙幣を一括して受け入れると共に出金処理時に釣銭としての紙幣を排出する紙幣入出金口２１と、この紙幣入出金口２１に受け入れた紙幣を１枚ずつ分離して、紙幣の金種等を鑑別すると共に鑑別した紙幣を金種毎に計数する紙幣鑑別部２２と、この紙幣鑑別部２２で鑑別計数された紙幣を集積して一時保留する一時保留部２３と、レジスタ用の釣銭準備金として使用する特定金種（例えば、五千円、千円）の紙幣を金種別に収納する釣銭用紙幣収納庫（釣銭用現金収納庫）２４と、入金紙幣を金種別に収納する紙幣回収庫（現金回収庫）２５と、紙幣リジェクト庫２６と、制御プログラムに基づいて紙幣処理機２全体の動作制御を行う制御部２７を少なくとも有して構成される。
【００３０】
ここで、一時保留部２３には紙幣を繰出す繰出し手段が設けられている。
【００３１】
また、釣銭用紙幣収納庫２４に対しては、収納する紙幣の金種毎に保管基準額が設定されており、その保管基準額を保つために入金処理された紙幣を収納するようになっている。釣銭用紙幣収納庫２４にも紙幣の集積手段が紙幣を搬送路に繰り出す繰出し手段と共に設けられている。
【００３２】
また、紙幣回収庫２５は複数用意され、必要に応じて交換されるものであるが、各紙幣回収庫２５には、ニアフルやフルを検知するセンサが設けられており、これらのセンサにより紙幣の有無や、満杯状態を確認できるようになっている。但し、収納量は後述するテーブルに格納される入金履歴からも把握可能である。
【００３３】
更に、紙幣回収庫２５には、硬貨回収庫１５と同様に記憶部（識別情報保有部）２５ａが設けられている。この記憶部２５ａには紙幣回収庫２５を識別するためのＩＤ番号等の固有の識別情報が記憶され、制御部１８がこの識別情報を認識して紙幣回収庫２５を特定するものとなっている。
【００３４】
なお、硬貨処理機１の制御部１８及び紙幣処理機２の制御部２７は主制御部８の指示により硬貨処理機１及び紙幣処理機２を制御する。
【００３５】
（Ａ−１−２）入出金処理機能について
図３は、主制御部８の入出金処理機能を説明する機能ブロック図である。
【００３６】
図３において、入出金処理機能１００は、パターン出金登録部１０１、出金処理部１０３、入金処理部１０４、集計処理部１０５、訂正処理部１０６、パターン出金記憶部１０７、シフト記憶部１０８、入出金履歴記憶部１０９を少なくとも有して構成される。
【００３７】
パターン出金登録部１０１は、複数の釣銭出金のパターン出金の設定情報をパターン出金記憶部１０７に登録するものである。ここで、パターン出金とは、予め設定された、出金に係る金種及び各金種の枚数を出金することをいう。
【００３８】
パターン出金記憶部１０７は、パターン出金登録部１０１により登録処理された複数のパターン出金の設定情報を記憶するものである。
【００３９】
図４は、パターン出金記憶部１０７の構成を示す構成図である。図４に示すように、パターン出金記憶部１０７は、出金パターン識別情報と、指定された金種及び各金種の枚数とを対応づけた情報を登録情報として記憶する。また、パターン出金記憶部１０７は、複数のパターン出金の設定情報を登録することができる。
【００４０】
出金処理部１０３は、出金情報を媒体識別情報に対応付けて入出金情報記憶手段としての入出金履歴記憶部１０９に記憶させる出金処理手段を構成する。また、出金処理部１０３は、レジスタ担当者又は管理者の操作を受けて、釣銭出金処理を行なうものである。出金処理部１０３は、レジスタ担当者等の操作により、レジスタ識別情報、レジスタカードの媒体識別情報、当該レジスタに割り当てられたシフト識別情報の選択入力を受ける。
【００４１】
そして、出金処理部１０３は、シフト記憶部１０８を参照して、入力されたレジスタ識別情報について、入力されたシフト識別情報に対応するパターン出金識別情報を検索し、検索されたパターン出金識別情報に対応する金種及び金種枚数を出金するものである。これにより、レジスタ毎に、選択されたシフトに対応付けられたパターン出金を行うことができる。なお、他のパターンで出金してもよい。
【００４２】
また、出金処理部１０３は、レジスタ識別情報、レジスタカードの媒体識別情報、シフト識別情報、レジスタ担当者識別情報、パターン出金金額を対応付けて、入出金履歴記憶部１０９に記憶する。これにより、シフトとレジスタカードとを対応付けて管理することができるので、１枚のレジスタカードでシフトのパターン出金を管理することができる。
【００４３】
ここで、後述するように、この実施形態では、同一のレジスタカードについて、パターン出金がなされてから最終入金が行なわれるまでを１つのシフトとし、これを集計単位とする。
【００４４】
従って、同一のレジスタカードについて、パターン出金がなされた後、最終入金がなされていない状態で、別のパターン出金の要求があっても、出金処理部１０３は取引を行なわない。つまり、この場合、出金処理部１０３は出金しない。これにより、レジスタ担当者がレジスタカードを間違えて出金処理を行なってしまうことを防止できる。
【００４５】
なお、出金処理部１０３は、追加的に釣銭を出金する追加出金を行なうことができる。この場合、同一のレジスタカードについて、パターン出金がなされた後に最終入金がなされていない状態に、出金処理部１０３は追加出金を行なうことができる。追加出金の場合、出金処理部１０３は、金種及び枚数の入力を受け付け、その入力された金種及び枚数を出金する。
【００４６】
入金処理部１０４は、入金処理の情報を媒体識別情報に対応付けて入出金情報記憶手段としての入出金履歴記憶部１０９に記憶させる入金処理手段を構成する。また、入金処理部１０４は、レジスタ担当者又は管理者の操作を受けて、入金処理を行なうものである。入金処理部１０４は、レジスタ識別情報、レジスタカードの媒体識別情報、レジスタ担当者識別情報、及び紙幣処理機２による入金された金種及び枚数が入力され、レジスタ識別情報、レジスタカードの媒体識別情報、シフト識別情報、レジスタ担当者識別情報、入金金額を対応付けて入出金履歴記憶部１０９に記憶するものである。この入出金履歴記憶部１０９は、少なくともレジスタへの出金又はレジスタからの入金に用いられる媒体であるレジスタカードの媒体識別情報に、出金処理及び入金処理の情報を対応付けて記憶する入出金情報記憶手段を構成する。
【００４７】
ここで、入金処理部１０４が行なう入金には、少なくとも、最終入金と途中入金とがある。最終入金とは、原則的には、レジスタ担当者の勤務が終了した後に行われる最終的な売上入金である。途中入金とは、レジスタ担当者の勤務が終了する前に行う入金をいう。途中入金は、例えば、防犯の観点から、レジスタに収納される現金を定期的に回収して入金する場合に用いられる。入金処理部１０４は、最終入金と途中入金とを区別して入出金履歴記憶部１０９に記憶する。
【００４８】
集計処理部１０５は、入出金履歴記憶部１０９に記憶されている入出金履歴を参照して、レジスタ毎に設定されたシフトを集計単位として集計処理を行なうと共に、「締上げ」と呼ばれる処理であって、営業日毎に全レジスタの売上高集計や違算金額などの確認をする上記精算集計処理を行う。
【００４９】
つまり、集計処理部１０５は、あるレジスタについては、当該レジスタに用いたレジスタカードについて、パターン出金がなされてから最終入金がなされるまでを１つの集計単位として集計する。これは、「パターン出金から最終入金まで」が１シフトに相当するので、「パターン出金から最終入金まで」の集計が当該シフトの集計となる。ここで、１集計単位とする「パターン出金から最終入金まで」の組の作成は、例えば、入出金履歴記憶部１０９における各取引の日時情報を用いて、今回の最終入金の取引日時情報の直前に行なわれたパターン出金を検索し、このパターン出金と最終入金とを１つの組とする。
【００５０】
さらに、集計処理部１０５は、上述した精算集計処理も行う。この精算集計処理により、各店舗で、店舗管理者（店長・出納係など）による全レジスタの精算集計業務（売上高集計や違算金額などの確認）が営業日毎に行われる。この精算集計処理では、各レジスタの精算集計結果を画面表示し、レシート印字を行っている。
【００５１】
また、集計処理部１０５は、入出金履歴記憶部１０９に記憶されている入出金履歴を参照して、レジスタ識別情報毎、レジスタ担当者識別情報毎に集計するようにしてもよい。
【００５２】
訂正処理部１０６は、レジスタ担当者が出金処理及び又は入金処理を誤って操作した場合に、正しい出金処理及び又は入金処理に訂正するものである。
【００５３】
なお、図１４は、主制御部８の入出金処理機能の変形実施形態を説明する機能ブロック図である。図１４は、図３に例示した入出金処理機能の各構成要素に、シフト処理部１０２を追加したものである。
【００５４】
シフト設定部１０２は、管理者の操作を受けて、レジスタ担当者のシフトに対して、指定されたパターン出金識別情報を対応付けてシフト記憶部１０８に記憶させるものである。シフトは各レジスタに割り当てられるのが一般的であるため、各レジスタのそれぞれのシフト毎にパターン出金が割り当てられる。
【００５５】
具体的には、シフト設定部１０２は、レジスタ毎に、シフトの時間帯が入力され、その時間帯のシフトに対してシフト識別情報を付与する。そして、シフト設定部１０２は、レジスタ毎に、シフト識別情報と指定されたパターン出金識別情報とを対応付けてシフト記憶部１０８に記憶する。
【００５６】
このように、予めシフト設定部１０２によりシフトを設定しておくことで、レジスタ担当者は、釣銭出金を行なうときに、「自身のシフト」のみを選択するだけでよい。その結果、レジスタ担当者によるパターン出金の選択間違いを回避できる。
【００５７】
（Ａ−２）実施形態の動作
次に、本実施形態に係る現金処理装置１０における入出金処理の動作について図面を参照しながら詳細に説明する。
【００５８】
（Ａ−２−１）シフト設定処理について
図５は、レジスタ識別情報「１」のレジスタのシフトを示す図である。図５において、「９：００〜１２：００」の時間帯を「シフト１」とし、「１１：３０〜１４：００」の時間帯を「シフト２」とし、「１３：３０〜１８：００」の時間帯を「シフト３」とする。
【００５９】
管理者は、管理者カードをカードリーダ５で読み取らせ、操作部４によりシフト設定処理の選択ボタンを選択する。これにより、シフト設定処理が開始する。
【００６０】
次に、管理者は、操作部４を操作してレジスタ識別情報を入力する。例えば、図５のシフト設定を行なう場合、管理者は、レジスタ識別情報「１」を入力する。
【００６１】
そして、管理者が図５の「シフト１」について設定する場合、管理者は時間帯「９：００〜１２：００」を入力する。現金処理装置１０において、シフト設定部１０２は、入力された時間帯「９：００〜１２：００」に対してシフト識別情報：シフト１」を割り当てる。
【００６２】
次に、管理者は、操作部４を操作して、「シフト１」に対応付けるパターン出金を選択する。例えば、「シフト１」に対して、図４の「パターン１」が選択されると、シフト設定部１０２は、「シフト１」に対して、選択された「パターン１」を対応付けてシフト記憶部１０８に記憶する。
【００６３】
このような処理が、他のシフトについてもなされる。また、他のレジスタの各シフトについてもなされる。
【００６４】
図６は、シフト記憶部１０８に記憶されるシフト設定情報の構成を例示する構成図である。図６に示すように、レジスタ（レジスタ識別情報）毎に、時間帯、シフト識別情報、パターン出金識別情報が対応付けて管理される。例えば、「レジスタ識別情報：１」について、「９：００〜１２：００」は「シフト識別情報：シフト１」が付与され、「シフト１」には「パターン出金識別情報：パターン１」が対応付けて記憶される。
【００６５】
なお、ここでは、管理者が、あらかじめ、シフトに対してパターン出金を対応付ける場合を例示した。しかし、レジスタカードについて、パターン出金及び最終入金を対応づけることができればよいので、管理者が上記のシフト設定を行わないようにしてもよい。その場合、レジスタ担当者が、レジスタカードを用いて出金処理を行なう際に、パターン出金を選択することで、レジスタカードとパターン出金とを対応付けることができる。
【００６６】
（Ａ−２−２）出金処理
次に、この実施形態に係る現金処理装置１０における出金処理について図面を参照しながら詳細に説明する。
【００６７】
図７は、実施形態に係る現金処理装置１０における出金処理の動作を示すフローチャートである。
【００６８】
図７において、レジスタ担当者は、レジスタカードをカードリーダ５に読み取らせ、操作部４を操作して、レジスタ担当者識別情報を入力し、釣銭出金の選択ボタンを選択する。これにより、現金処理装置１０において、出金処理部１０３は、レジスタカード識別情報及びレジスタ担当者識別情報を取得して、釣銭出金処理を開始する（Ｓ１０１、Ｓ１０２）。
【００６９】
次に、レジスタ担当者は、操作部４を操作してレジスタ識別情報を入力する。これにより、出金処理部１０３は、レジスタ識別情報を取得する（Ｓ１０３）。
【００７０】
なお、レジスタカードがレジスタに対応することが予め設定されている場合（例えば、レジスタカードから読み取った情報にレジスタ識別情報が含まれる等の場合）には、レジスタ識別情報の入力を省略するようにしてもよい。
【００７１】
また、管理者は、管理者カードを用いて、パターン出金や追加出金等の出金処理を行なうこともできる。その場合には、レジスタ識別情報及びシフトの入力が必要となる。
【００７２】
図８及び図９は、釣銭出金に係る表示画面例を示す画面図である。図８（Ａ）に示すように画面には、レジスタ選択ボタン５０１が表示される。レジスタ担当者は、図８（Ａ）の画面において、担当するレジスタのレジスタ選択ボタン５０１を選択し、確認ボタン５０２を選択する。
【００７３】
続いて、出金処理部１０３は、パターン出金による釣銭出金を行なうために、パターン出金識別情報を取得する（Ｓ１０５）。
【００７４】
ここで、（Ａ−２−１）で説明したシフト設定が予めなされている場合、図８（Ｂ）に例示する表示画面において、レジスタ担当者は、担当するシフトのシフト選択ボタン５０３を選択し、確認ボタン５０２を押下する。そして、出金処理部１０３は、図６に例示するシフト設定情報を参照して、選択されたシフト識別情報に対応するパターン出金識別情報を取得することができる。
【００７５】
また別の方法として、（Ａ−２−１）で説明したシフト設定が予めなされていない場合、図９（Ａ）に例示する表示画面において、レジスタ担当者が、「パターン出金」を示す出金種類選択ボタン５０４を選択する。そうすると、図９（Ｂ）に例示する表示画面が表示される。レジスタ担当者は、図９（Ｂ）において、パターン出金のタイプが異なるパターン出金選択ボタン５０５を選択すると、その選択されたパターン出金の金種枚数及び合計金額が表示される。これを見て、レジスタ担当者は、パターン出金のタイプを確認できる。そして、レジスタ担当者は、当該シフトに割り当てられているパターン出金のパターン出金選択ボタン５０５を選択し、確認ボタン５０２を押下する。これにより、出金処理部１０３は、パターン出金識別情報を取得することができる。
【００７６】
Ｓ１０６では、出金処理部１０３が、同一のレジスタカードを用いてパターン出金が既になされているか否かを確認し（Ｓ１０６）、パターン出金がなされていない場合、出金処理部１０３は処理をＳ１０７に移行し、既にパターン出金がなされている場合、出金処理部１０３は処理をＳ１１０に移行する。
【００７７】
Ｓ１０７において、出金処理部１０３は、硬貨処理機１及び紙幣処理機２に対して、パターン出金識別情報に対応する金種及び枚数を出金するようにし指示し、硬貨処理機１及び紙幣処理機２が指示された金種及び枚数を出金する（Ｓ１０７）。
【００７８】
そして、出金処理部１０３は、レジスタ識別情報、レジスタカード識別情報、レジスタ担当者識別情報、パターン出金である旨の区分、出金金額を対応付けて、入出金履歴記憶部１０９に記憶し（Ｓ１０８）、伝票記録部６が釣銭出金に係る伝票を発行する（Ｓ１０９）。
【００７９】
図１０は、入出金履歴記憶部１０９における入出金履歴を説明する説明図である。図１０に示すように、出金処理部１０３は、例えば、「通番：１」に、「レジスタ識別情報：１」、「レジスタカード識別情報：Ａ」、「レジスタ担当者識別情報：１１１１」について、「区分：パターン出金」を付与し、当該パターン出金の出金金額及び金種枚数を対応付けて入出金履歴に残す。さらに、精算集計処理のデータも入出金履歴に残す。
【００８０】
一方、Ｓ１０６において、既にパターン出金がなされている場合、出金処理部１０３は、パターン出金を行なわず、エラーである旨を出力して、処理を終了する（Ｓ１１０）。
【００８１】
（Ａ−２−３）最終入金処理
次に、本実施形態に係る現金処理装置１０における最終入金処理について図面を参照しながら詳細に説明する。
【００８２】
図１１は、実施形態に係る現金処理装置１０における最終入金処理の動作を示すフローチャートである。
【００８３】
図１１において、レジスタ担当者は、レジスタカードをカードリーダ５に読み取らせ、操作部４を操作して、レジスタ担当者識別情報を入力し、最終入金の選択ボタンを選択する。これにより、現金処理装置１０において、入金処理部１０４は、レジスタカード識別情報及びレジスタ担当者識別情報を取得して、最終入金処理を開始する（Ｓ２０１、Ｓ２０２）。
【００８４】
次に、レジスタ担当者は、操作部４を操作してレジスタ識別情報を入力する。これにより、入金処理部１０４は、レジスタ識別情報を取得する（Ｓ２０３）。
【００８５】
続いて、レジスタ担当者によって投入された現金を、硬貨処理機１及び紙幣処理機２が受け入れ、硬貨処理機１及び紙幣処理機２が現金を計数する（Ｓ２０４）。
【００８６】
ここで、入金処理を行なう際、硬貨処理機１及び紙幣処理機２による現金計数だけでなく、レジスタ担当者の手入力による入金処理を行なうようにしてもよい。これは、例えば、商品券や、クレジットカード、ギフトカード等による売上や、また汚損金等もあるため、硬貨処理機１及び紙幣処理機２が計数できない場合もあるからである。このような場合には、レジスタ担当者が手入力により入金処理を行ない、入金金額等を確定する。
【００８７】
そして、入金処理部１０４は、レジスタ識別情報、レジスタカード識別情報、レジスタ担当者識別情報、最終入金である旨の区分、入金金額を対応付けて、入出金履歴記憶部１０９に記憶し（Ｓ２０５）、伝票記録部６が最終入金に係る伝票を発行する（Ｓ２０６）。
【００８８】
図１０に示すように、入金処理部１０４は、例えば、「通番：２」に、「レジスタ識別情報：１」、「レジスタカード識別情報：Ａ」、「レジスタ担当者識別情報：１１１１」について、「区分：最終入金」を付与し、当該最終入金として計数された入金金額及び金種枚数を対応付けて入出金履歴に残す。清算出金処理がなされた場合は、「区分：清算出金」を付与し、その金額を入出金履歴に残す。
【００８９】
（Ａ−２−４）集計処理
次に、実施形態に係る現金処理装置１０における集計処理の動作について図面を参照しながら説明する。
【００９０】
図１２は、集計処理部１０５による集計単位を説明する説明図である。図１３は、レジスタ識別情報「１」のシフト及び集計を説明する説明図である。
【００９１】
図１３では、レジスタ識別情報「１」のレジスタについて、複数のレジスタ担当者が、２枚のレジスタカード「カードＡ」と「カードＢ」を用いて操作する場合を示す。
【００９２】
また、シフト１はレジスタ識別情報「１１１１」の担当者が担当し、シフト２はレジスタ識別情報「２２２２」の担当者が担当し、シフト３は、レジスタ識別情報「３３３３」と「１１１１」の２人の担当者が担当するものとする。
【００９３】
さらに、シフト１及びシフト３では、レジスタ担当者がレジスタカード「カードＡ」を用いており、シフト２では、レジスタ担当者がレジスタカード「カード」Ｂを用いているものとする。
【００９４】
上記のような場合、図１２に示すように、集計処理部１０５は、入出金履歴記憶部１０９に記憶される入出金履歴に基づいて、同一レジスタカードについて、パターン出金がなされてから最終入金がなされるまでを１つの集計単位とする。
【００９５】
すなわち、集計処理部１０５は、入出金履歴記憶部１０９を参照して、レジスタカード識別情報に対応する入出金履歴を検索して、同一のレジスタ識別情報において、パターン出金とその後になされた最終入金とを組にし、これを集計単位として集計する。
【００９６】
例えば、図１２において、集計処理部１０５は、レジスタカード識別情報「カードＡ」について、レジスタ担当者識別情報「１１１１」による「パターン出金」を読み出し、同一のレジスタカード識別情報「カードＡ」であって、当該パターン出金直後の「最終入金」を読み出す。そして、この「パターン出金から最終入金まで」がシフト１についての集計となる。
【００９７】
また、「シフト２」についても同様に、レジスタカード識別情報「カードＢ」について、レジスタ担当者識別情報「２２２２」による「パターン出金」と、当該パターン出金直後の「最終入金」とを読み出し、これをシフト２の集計とする。
【００９８】
ここで、シフト３では「カードＡ」が利用されており、利用カードはシフト１のときと同じであるため、集計処理部１０５がシフトを誤って括ってしまうことが問題となる。しかし、この実施形態では、上記のような誤ったシフトの括りを防止するために、出金処理部１０３が、パターン出金済み後の再度のパターン出金を選択できないようにしている（図７のＳ１０６及びＳ１１０参照）。その結果、同一のレジスタカードにおいて、パターン出金後に、別のパターン出金がなされることはないので、集計処理部１０５は、「パターン出金から最終入金まで」を１つの集計単位として確実に括ることができる。
【００９９】
また、レジスタ担当者が最終入金を忘れてしまうこともあり、レジスタ担当者又は管理者が遅れて最終入金を行なう場合もある。しかし、この実施形態では、図１３に示すように、同一のレジスタカード「カードＡ」について、「シフト１」が終わってから、「シフト３」についての「パターン出金」がなされるまでの間を、「シフト１」の集計最大範囲とする。つまり、「パターン出金から最終入金まで」が１つの集計単位であるから、次のシフトの「パターン出金」がなされるまで、「最終入金」が可能となる。
【０１００】
また、図１２において、シフト３では、レジスタ担当者識別情報「３３３３」が「カードＡ」を用いてパターン出金を行い、レジスタ担当者識別情報「１１１１」が「カードＡ」を用いて最終入金を行なっている。つまり、釣銭出金と最終入金の行為主体がそれぞれ異なる。
【０１０１】
この場合でも、集計処理部１０５は、同一のレジスタカード識別情報について「パターン出金から最終入金まで」を集計単位とするので、問題なく集計処理を行なうことができる。なお、この場合、個人集計については、レジスタ担当者識別情報「３３３３」又は「１１１１」のいずれかの売上計上であるとしてもよい。この実施形態では、最終入金を行なったレジスタ担当者識別情報「１１１１」の売上計上とする。
【０１０２】
なお、図１２に示すように、集計処理部１０５は、レジスタ識別情報毎、レジスタ担当者識別情報毎に集計を行なうこともできるので、レジスタ毎、レジスタ担当者毎の売上集計もできる。なお、図１２において、点線で括ったものの集計が、レジスタ識別情報「１」の集計である。
【０１０３】
集計処理部１０５は、上記のようにして集計した集計結果を入出金履歴記憶部１０９に記憶する。
【０１０４】
（Ａ−２−５）繰越処理
次に、本実施形態に係る現金処理装置１０における繰越処理の動作について図面を参照しながら説明する。図１５は繰越処理機能を示すフローチャートである。この繰越処理は、上記シフト単位の集計処理と別の精算集計処理を行うときの処理である。
【０１０５】
従来は、不正使用の発覚遅れを回避する為に、営業日毎に精算集計処理を行っていた。精算集計処理時に、出金処理後に入金処理がなされていない、いわゆる出金しっぱなしのレジスタ番号がある場合、該当レジスタの印字項目に警告の意味を込めて、清算出金処理がなされる。即ち、“清算出金”欄を追記して、清算出金データを記録すると共に、レシートに清算出金データを印字する処理がなされていた。それと同時に、該当レジスタからの出金実績データをクリアしていた。
【０１０６】
しかし、２４時間営業店舗の場合、精算集計処理を契機に、毎回清算出金処理をすると、次の様な問題が発生する。即ち、毎日午前０時に、全レジスタの精算集計処理を実施するが、午前０時以降（深夜〜早朝）に使用するレジスタの釣銭準備金は、午前０時前（例えば、２３時３０分）に準備（出金）して、運用しなければならない。
【０１０７】
この場合、従来の装置では、釣銭準備金をそのまま使用すると、午前０時に、深夜から早朝にかけて使用するレジスタの出金実績データが無条件でクリアされてしまう。このため、不正使用していないのに、翌日午前中にレジ精算（入金）を行うと、出金実績データが無い為、正しい売上金が集計できないという問題が発生する。
【０１０８】
そこで、上述の問題を解消するために、精算集計処理時に繰越処理を行う。この繰越処理では、まず、営業日毎に全レジスタの精算集計処理を行う（Ｓ３０１）。この精算集計処理時に、入出金履歴記憶部１０９を参照して、出金処理後に入金処理がなされていないレジスタ番号があるか否かを判断する（Ｓ３０２）。出金処理後に入金処理がなされていないレジスタ番号がない場合は、処理を終了する。
【０１０９】
出金処理後に入金処理がなされていないレジスタ番号がある場合は、上記精算集計処理が、出金処理部１０３での出金処理から１回目か否かを判断する（Ｓ３０３）。上記精算集計処理が、出金処理部１０３での出金処理から１回目のときは、清算出金処理を繰り越して、そのまま終了する。上記精算集計処理が、出金処理部１０３での出金処理から２回目以降のときは、清算出金処理を行う（Ｓ３０４）。
【０１１０】
この清算出金処理により、２営業日以上経過している上記レジスタの出金を“清算出金”扱いに移行して、出金実績データをクリアする。
【０１１１】
なお、上記清算出金処理は、精算集計処理時に全レジスタに対して行ったが、上述のシフト毎に、各レジスタに対して行ってもよい。
【０１１２】
（Ａ−３）効果
以上のように、営業日毎に実施している全レジスタの精算集計処理時に、入出金履歴記憶部１０９を参照して、出金処理後に入金処理がなされていないレジスタ番号がある場合に、それが出金処理から１回目の精算集計処理のときに清算出金処理を繰り越す。そして、２回目以降のとき上記清算出金処理を行って出金実績データをクリアするようにしたので、翌日に正しい売上金が集計できないという問題が発生するのを防止することができる。これにより、集計処理を滞りなく行うことができる。
【０１１３】
また、上記シフト毎に本処理を行うことにより、各レジスタ毎に、売上金を管理することができる。これにより、各レジスタの釣銭準備金の不正使用を予防できるという効果が得られる。即ち、レジスタへの出金又はレジスタからの入金に用いられるレジスタカード毎に出金処理から入金処理までを１集計単位として集計処理ができるため、レジスタ担当者のシフト毎に、売上金を管理することができる。このため、各レジスタ毎に釣銭準備金の不正使用を予防できるという効果が得られる。
【０１１４】
また、本実施形態によれば、レジスタカード識別情報に、レジスタ識別情報、レジスタ担当者識別情報を紐付して入出金履歴を記憶することにより、レジスタ識別情報でソートすればレジスタ毎の売上集計を求めることができ、又、レジスタ担当者識別情報でソートすればレジスタ担当者毎の売上集計を求めることができる。このため、レジスタ毎にも、レジスタ担当者毎にも、売上金を管理することができる。このため、各レジスタ毎にも、レジスタ担当者毎にも、釣銭準備金の不正使用を予防できるという効果が得られる。
【０１１５】
また、２４時間営業店舗での運用にも対応が可能となる。
【０１１６】
（Ｂ）第２の実施形態
次に、本発明の第２の実施形態に係る現金処理装置について説明する。本実施形態の現金処理装置の全体構成は、上記第１の実施形態の現金処理装置１０と同様であるため、ここでは、同一部材には同一符号を付して、その説明を省略する。
【０１１７】
本実施形態の繰越処理手段は、上記精算集計処理時に、上記出金処理後に上記入金処理がなされていない上記レジスタ番号があるとき、翌営業日分として使い回すか、清算するかを選択させる選択要求処理を行うものである。
【０１１８】
さらに、本実施形態の繰越処理手段は、上記精算集計処理時に、上記出金処理後に上記入金処理がなされていない上記レジスタ番号があるとき、アラーム通知を行って、注意を喚起するものである。
【０１１９】
本実施形態では、図１６に示すように、第１実施形態の図３の入出金処理機能１００にアラーム通知部１１０を追加した。さらに、図１７に示すように、翌日送りボタン６０１と、清算ボタン６０２と、確認ボタン６０３とを備えた表示画面を追加した。
【０１２０】
（Ｂ−２）動作
従来の方式では、２日間ではあるが、出金しっぱなしになっている事実を知るすべが無い。言い換えると、２日後の「精算集計処理を実施して初めて出金しっぱなしで、入金されていない事実に気が付く。また、現金処理装置から出金した現金を、使用せずに金庫にしまっているにも関わらず、２日後、警告も無く勝手に出金実績データをクリアされる。即ち、売上の集計対象から外される。さらに、金庫に保管していた釣銭準備金を２日後に使用すると、売上金の集計結果が予想外の結果に陥る。言い換えると、一度出金した釣銭準備金は、営業日をまたがり繰り越して使用することが出来ない。
【０１２１】
この具体例を図１８に基づいて説明する。ここでは、１０日から１２日までの経過を基に説明する。
【０１２２】
レジスタ担当者は、１０日に、７番レジの釣銭準備の為、１０万円を出金する。しかし、レジスタ担当者は、釣銭準備はしたが、７番レジは使用しなかった為、１０万円を金庫に保管した。
【０１２３】
金庫に保管された１０万円は、翌日（１１日）も、７番レジを使用しなかった為、金庫に保管したままになっている。
【０１２４】
レジスタ担当者または管理者は、１２日には、売上の集計対象から７番レジの出金実績データを外す事を意味する“清算出金”として計上し、レシートにも印字したが、気が付かなかった。このため、本日は、金庫に保管していた７番レジの釣銭準備金１０万円をそのまま使用した。そして、７番レジのレジ精算を実施する為、釣銭準備金１０万円を含めた２５万円を入金すると、２５万円すべてが売上金として計上されてしまった。つまり、清算出金扱いとなっているため出勤実績データから７番レジの出金実績データである１０万円が外されているにもかかわらず、レジスタ担当者は釣銭準備金１０万円を含めた２５万円を入金してしまっている。これにより、通常であれば釣銭準備金１０万円を２５万円から差し引き、売上金１５万円としなければならないが、出金実績データである１０万円が外されているため、入金した２５万円全額が売上金として計上されてしまう。
【０１２５】
これに対して、本願発明では、図１９に示すようになる。
【０１２６】
まずレジスタ担当者は、１０日に、７番レジの釣銭準備の為、１０万円を出金する。しかし、レジスタ担当者は、釣銭準備はしたが、７番レジは使用しなかった為、１０万円を金庫に保管した。
【０１２７】
レジスタ担当者または管理者は、１１日に、選択要求処理を行う。具体的には、アラーム通知部１１０を作動させて、レジスタ担当者または管理者にアラーム通知して、出金しっぱなしになっているレジスタを一覧表示する。ここでは、７番レジが出金しっぱなしになっている事を通知する。
【０１２８】
さらに、図１７に示す画面を表示して、［翌営業日分として使い回す］か［ここで清算してしまう］かの選択をするように要求する。レジスタ担当者または管理者は、翌日送りボタン６０１か、清算ボタン６０２を押して、確認ボタン６０３を押す。清算ボタン６０２を押せば、ここで清算することになる。
【０１２９】
ここでは、翌日送りボタン６０１を押して、［翌営業日分として使い回す］を選択したと想定する。
【０１３０】
なお、レジスタが複数表示された場合は、１レジスタずつ［翌営業日分として使い回す］か［ここで清算してしまう］かの選択をするように要求する。そして、すべての末精算レジの選択が終わらない限り、精算集計処理は完了しない。
【０１３１】
１２日には、１１日と同様に選択要求処理を行う。具体的には、アラーム通知部１１０を作動させて、レジスタ担当者または管理者にアラーム通知して、出金しっぱなしになっているレジスタを一覧表示する。ここでは、７番レジが出金しっぱなしになっている事を通知する。
【０１３２】
さらに、図１７に示す画面を表示して、［翌営業日分として使い回す］か［ここで清算してしまう］かの選択をするように要求する。レジスタ担当者または管理者は、翌日送りボタン６０１か、清算ボタン６０２を押して、確認ボタン６０３を押す。ここでも１１日と同様に、翌日送りボタン６０１を押して、［翌営業日分として使い回す］を選択したと想定する。つまり、［翌営業日分として使い回す］を選択することにより、出金実績データを外さずに翌営業日分まで出金実績データを残す。
【０１３３】
そして、レジスタ担当者は、１２日は、金庫に保管していた７番レジの現金を使用した。そして、７番レジのレジ精算を実施する為、釣銭準備金１０万円を含めた２５万円を入金したら、売上金１５万円と正しく計上された。出金実績データである１０万円がデータとして残っているため、２５万円を入金すると釣銭準備金である１０万円を差し引き、売上金１５万円を正しく計上する。
【０１３４】
なお、未精算レジの対処として選択できる［翌営業日分として使い回す］には、選択実施の回数制限は設けないものとする。しかし、［翌営業日分として使い回す］の選択回数が多いとき、要注意状態として、強い警告を発する。具体的には、レシートに選択回数を記載して、警告文を記載したり、アラーム通知部１１０で強い警告音を発したりする。さらに、選択回数が増えるに従って警告音を段階的に強めていくようにしてもよい。即ち、不正使用に対する抑止効果を段階的に強めていくようにしてもよい。
【０１３５】
（Ｂ−３）効果
以上のように、第２の実施例によれば、下記の様な効果が得られる。
【０１３６】
２４時間営業店舗の運用の場合、即ち、精算集計処理前に翌日分の出金を行う運用の場合にも、最適な対応をとれるようになる。
【０１３７】
出金しっぱなしになっているレジスタがあるときは、毎日の精算集計処理時にアラーム通知して選択要求処理を行うため、毎日、未精算レジをチェックすることができる。これにより、不正使用があった場合に、速やかに確認することができるようになる。
【０１３８】
この結果、不正使用の発生を効果的に防止することができる。
【０１３９】
さらに、一度出金した釣銭準備金を、営業日を跨いで繰り越して使用することができるようになり、利便性が向上する。
【０１４０】
（Ｃ）変形例
（Ｃ−１）上述した各実施形態では、本発明を現金処理装置１０として説明したが、当該現金処理装置１０の処理機能を有する現金処理プログラムとしてコンピュータにインストールして構成してもよい。
【０１４１】
（Ｃ−２）上述した各実施形態では、繰越処理手段として、精算集計処理が、出金処理手段での出金処理から１回目のとき繰り越す。そして、２回目以降のとき上記清算出金処理を行う実施形態を第１の実施形態として説明し、精算集計処理時に、出金処理後に入金処理がなされていないレジスタ番号があるとき、翌営業日分として使い回すか、清算するかを選択させる選択要求処理を行う実施形態を第２の実施形態として説明したが、第１の実施形態の構成に第２の実施形態の構成を組み込んでもよい。この場合は、第２の実施形態の選択要求処理を最初に行い、選択しなかった場合に、第１の実施形態の処理を行う。これにより、上記第１及び第２の実施形態と同様の作用、効果を奏することができる。さらに、この組み合わせにより、利便性が向上すると共に、不正使用の発生をより効果的に防止することができる。
【０１４２】
（Ｃ−３）上述した各実施形態では、パターン出金登録部１０１を設けて、複数の釣銭出金のパターン出金の設定情報をパターン出金記憶部１０７に登録したが、パターン出金でない場合でも、本願発明を適用することができる。
【０１４３】
（Ｃ−４）上述した各実施形態における現金処理装置は、１店舗に設けられるレジスタへの出金処理及びレジスタからの入金処理を行なうものに限定されるものではなく、例えば、ショッピングセンタ等のように複数のショップからなる大規模店舗において、各ショップを統括的に管理するものにも適用することができる。
【０１４４】
（Ｃ−５）上述した各実施形態では、レジスタの出金又は入金に用いられる媒体として、レジスタカードを適用する場合を例示した。しかし、シフトに応じてレジスタを利用する際に用いられるものであれば、カードに限定されるものではない。また、レジスタ以外にも、釣銭準備金が必要なすべての装置に適用することができる。
【０１４５】
（Ｃ−６）上述した各実施形態では、精算集計処理により全レジスタを対象にしたが、レジスタ毎に行う集計処理に各実施形態の発明を適用してもよい。これにより、レジスタ毎に、利便性の向上、不正使用の防止を図れる。
【０１４６】
（Ｃ−７）なお、本発明の態様は、上述した各実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更、組み合わせおよび部分的削除等が可能である。
【符号の説明】
【０１４７】
１０…現金処理装置、１…硬貨処理機、２…紙幣処理機、３…表示部、４…操作部、５…カードリーダ、６…伝票記録部、７…記憶部、８…主制御部、１００…入出金処理機能、１０１…パターン出金登録部、１０２…シフト設定部、１０３…出金処理部、１０４…入金処理部、１０５…集計処理部、１０６…訂正処理部、１０７…パターン出金記憶部、１０８…シフト記録部、１０９…入出金履歴記憶部、１１０…アラーム通知部、５０１…レジスタ選択ボタン、５０２…確認ボタン、５０３…シフト選択ボタン、５０４…出金種類選択ボタン、５０５…パターン出金選択ボタン、６０１…翌日送りボタン、６０２…清算ボタン、６０３…確認ボタン。
【図１】
2014164621.tif 000003
【図２】
2014164621.tif 000004
【図３】
2014164621.tif 000005
【図４】
2014164621.tif 000006
【図５】
2014164621.tif 000007
【図６】
2014164621.tif 000008
【図７】
2014164621.tif 000009
【図８】
2014164621.tif 000010
【図９】
2014164621.tif 000011
【図１０】
2014164621.tif 000012
【図１１】
2014164621.tif 000013
【図１２】
2014164621.tif 000014
【図１３】
2014164621.tif 000015
【図１４】
2014164621.tif 000016
【図１５】
2014164621.tif 000017
【図１６】
2014164621.tif 000018
【図１７】
2014164621.tif 000019
【図１８】
2014164621.tif 000020
【図１９】
2014164621.tif 000021